(57)【特許請求の範囲】
【請求項１】
油料理場の上方に配設された換気扇筐体の前記油料理場側に於いて前記油料理場に面した常磁性の金属板に磁気により吸着する複数の磁石部と、
前記複数の磁石部の各々の上面上に塗布された合成ゴム系接着剤又は樹脂系接着剤の何れか一方より成る接着剤と、
前記複数の磁石部の各々の前記接着剤により前記複数の磁石部の各々の前記上面に接着された裏面を有する面ファスナーと、
前記複数の磁石部の各々の前記面ファスナーの前記裏面に対向する表面上に、磁石部毎に全体的に面接着された、油料理により発生する油を吸収するフィルターと
を備え、
前記複数の磁石部の各々は、
下面と、当該下面に対向する上面と、前記下面と前記上面との間の側面と、前記下面より前記上面に向けて設けられた非貫通の溝部又は非貫通の穴部とを有するヨークと、
前記ヨークの前記溝部又は前記穴部の底面上に固着された上面と、前記上面に対向すると共に前記ヨークにより被覆されていない下面とを有する磁石と、
前記磁石の前記下面の全面上、前記ヨークの前記下面の全面上、及び、前記ヨークの前記側面上に固着された裏面を有する布粘着テープと
を備えていることを特徴とする油料理場の換気扇用油吸収器具。
【請求項２】
請求項１に記載の油料理場の換気扇用油吸収器具であって、
前記フィルターを第１フィルターと定義する場合において、
前記換気扇筐体側の前記金属板と、前記複数の磁石部の各々の前記布粘着テープの前記裏面に対向する表面の内で前記磁石の前記下面に対面する部分とに挟まれて、前記複数の磁石部の各々の磁力により前記換気扇筐体側の前記金属板上に固設され、且つ、前記第１フィルターの厚みと比較して同一又は薄い厚みを有する、油料理により発生する油を吸収する第２フィルター
を更に備えたことを特徴とする油料理場の換気扇用油吸収器具。
【請求項３】
請求項１又は２に記載の前記油料理場の換気扇用油吸収器具に適用されるマグネット複合体であって、
請求項１に記載の前記複数の磁石部に於ける磁石部と、
請求項１に記載の前記接着剤と、
請求項１に記載の前記面ファスナーと
より成ることを特徴とするマグネット複合体。
【請求項４】
請求項２に記載の前記第２フィルターを、請求項１に記載の前記複数の磁石部の各々の磁力によって前記換気扇筐体側の前記金属板上に固設するステップと、
請求項１に記載の各面ファスナーの前記表面上に請求項２に記載の前記第１フィルターを順次に面接着するステップと
を備えたことを特徴とする油料理場の換気扇用油吸収器具の取付け方法。
【発明の詳細な説明】
【技術分野】
【０００１】
この発明は、コンロ等を備えた料理場で食用油を使用して料理を作っている際に発生する油の蒸気が換気扇のファンに付着することで当該ファンに付着した油の量を抑制するための技術分野に関する。
【背景技術】
【０００２】
現在、ガス又は電気を利用したコンロ等が設けられた料理場の上方に設置された金属性のフード内に配置された換気扇内のファンに蒸発した油が付着して当該ファンが当該油の付着に起因して動作しなくなるのを防止するために、次の様な解決策が実現されている。即ち、上記の換気扇を収納する筐体のコンロ側の鉄板等の金属体（空気が通り抜ける通気口が設けられている。）に、裏面に塗布された接着剤（例えば両面テープが挙げられる。）により面ファスナーを貼付し、その面ファスナーの表面上に、油を吸収する素材から成るフィルターを仮止めしておいた上で、フィルターの上面に磁石を設けることで、磁石の磁力によって上記のフィルターを上記金属体上に取付けている。尚、このフィルターの取付け方法ないしは取付け器具について明記した先行技術文献の存在については、本出願人は知らないところである。
【先行技術文献】
【特許文献】
【０００３】
【特許文献１】登録実用新案第３１１３８１８号公報
【発明の概要】
【発明が解決しようとする課題】
【０００４】
＜課題その１＞
【０００５】
人が、コンロ等を備えた料理場で食用油を使用した料理を作っている場合（斯かる「料理場」を、以降「油料理場」という。）には、その際に発生する油の蒸気の一部は、フィルター内に吸収される。そのため、当該フィルターを比較的に長期に亘って使用していると、当該フィルター内に吸収された油の量が多くなり、当該フィルターから面ファスナー内に浸み込んだ油が、当該面ファスナーを上記筐体の金属体に接着している接着剤内にまで更に浸み込んでしまう。その結果、上記の接着剤の接着能力が、浸み込んだ油によって劣化してしまい、その内に、面ファスナーが、フィルターと面接着している状態のままで、磁石ごと落下してしまうという問題点が発生する。
【０００６】
特に、昨今では、油の吸収によりフィルターが早く汚れてしまうことを防止するために、フィルターの厚みを厚く設定することで、フィルターの油吸着可能量を増加させてフィルターが汚れにくくしている傾向がある。その結果、当該フィルターをより長い期間に亘って使用することが出来る様になる。例えば、以前ではフィルターの厚みは５ｍｍ内程度であったが、現在では、厚みが１ｃｍ程度もある厚いフィルターが、市販されている。この様に、フィルターの厚みが２倍程度にまで厚くなっているため、吸収可能な油の量がより多くなって汚れにくくなってはいるが、その反面、今まで以上に使用中のフィルターが重くなるため、吸収された油が面ファスナーを介して上記接着剤にまで浸み込む量が多くなるため、使用開始より、より早く、面ファスナーが接着剤から剥がれて、フィルターが磁石と共に落下してしまうこととなる。加えて、フィルターの厚み増大に応じて、その分、フィルターの製作コストが高くなるという問題点もある。
【０００７】
＜課題その２＞
課題その１を解決するためには、面ファスナーを、換気扇を収納する筐体のコンロ側の鉄板等に貼付している接着剤を、油が浸透しにくい材質を有する樹脂系接着剤に置き換えて面ファスナーを鉄板等にローラー圧着してやれば良い。
【０００８】
しかし、この様に接着剤が油の浸透に対して劣化しなくなり強度に鉄板等の金属板に接着される様になると、使用中のフィルターの汚れに応じて当該フィルターを新しいフィルターに交換するときには、同じく油が浸透して汚れている面ファスナーも剥がして交換することになるが、その際に面ファスナーが剥がれずに鉄板等の金属体に付着したまま残存してしまうという状態が発生してしまい、フィルターの交換が出来なくなるという問題点が、反面、発生してしまう。
【０００９】
本発明は、以上の様な問題点を克服すべく成されたものであり、以下の目的を有するものである。即ち、換気扇を収納する筐体の金属板から脱落しにくく且つフィルターの交換時に於いて面ファスナーが筐体側に残存することも無く、フィルターの交換を容易に且つ確実に行うことを可能とすると共に、コストの低減化をも図りつつ油の吸収能力を高めて、換気扇のファンの汚れの程度も格段に少なくして、当該ファンの清掃回数を低減化させ得る油料理場の換気扇用油吸収器具の提供を、その目的としている。
【課題を解決するための手段】
【００１０】
本発明の主題に係る油料理場の換気扇用油吸収器具は、油料理場の上方に配設された換気扇筐体の前記油料理場側に於いて前記油料理場に面した常磁性の金属板に磁気により吸着する複数の磁石部と、前記複数の磁石部の各々の上面上に塗布された合成ゴム系接着剤又は樹脂系接着剤の何れか一方より成る接着剤と、前記複数の磁石部の各々の前記接着剤により前記複数の磁石部の各々の前記上面に接着された裏面を有する面ファスナーと、前記複数の磁石部の各々の前記面ファスナーの前記裏面に対向する表面上に、磁石部毎に全体的に面接着された、油料理により発生する油を吸収するフィルターと、を備え、前記複数の磁石部の各々は、下面と、当該下面に対向する上面と、前記下面と前記上面との間の側面と、前記下面より前記上面に向けて設けられた非貫通の溝部又は非貫通の穴部とを有するヨークと、前記ヨークの前記溝部又は前記穴部の底面上に固着された上面と、前記上面に対向すると共に前記ヨークにより被覆されていない下面とを有する磁石と、前記磁石の前記下面の全面上、前記ヨークの前記下面の全面上、及び、前記ヨークの前記側面上に固着された裏面を有する布粘着テープを備えており、油料理場の換気扇用油吸収器具は、前記換気扇筐体側の前記金属板と、前記複数の磁石部の各々の前記布粘着テープの前記底面とに挟まれて、前記複数の磁石部の各々の磁力により前記換気扇筐体側の前記金属板上に固設され、且つ、前記第１フィルターの厚みと比較して同一又は薄い厚みを有する、油料理により発生する油を吸収する第２フィルターを更に備えることを特徴とする。
【発明の効果】
【００１１】
本発明の主題によれば、第１フィルターの重量が、その長期の使用による油の大量吸収に伴って増大化した場合に起因して、同フィルターが仮に脱落したとしても、各面ファスナー、各接着剤、各磁石部、各磁石部の磁気力により強力に金属板表面に吸着された第２フィルターまでもが換気扇筐体側の金属板より落下することはなく、その様な落下を気にせずに安心して換気扇用油吸収器具を利用することが出来る。
【００１２】
又、本発明の主題によれば、２枚のフィルターを用いて油を吸収するので、各フィルターの厚みを比較的に薄くすることが出来るので、その分、各フィルターの製造コストを低減化することも出来る。
【００１３】
又、本発明の主題によれば、２枚のフィルターを用いて２段階で油を吸収するので、吸収可能な油の量が増大化する結果、換気扇の油付着による汚れの程度をより軽減し且つ汚れの進み具合をより遅くすることが出来、換気扇の清掃作業を短時間で容易に行うことを可能とすると共に、換気扇の清掃作業回数をも減らすことが出来る。
【００１４】
又、本発明の主題によれば、フィルターを新品に交換する場合に、単に面接着している第１フィルターを取り外し、更に各マグネット複合体を取り去るだけで第２フィルターも簡単に取り外すことが可能となるので、金属板を含む換気扇筐体回りの各部の清掃を容易に行うことが出来る。その際に、金属体表面上に残存する部材は何ら存在しないので、当該清掃はより一層行い易くなる。
【００１５】
又、本発明の主題によれば、換気扇筐体の金属板表面に第２フィルターを介在して強力に吸着した各磁石部を、作業者がその吸着力に対抗して強力な力で磁石部を引き離す作業を行うことなく、相対的に弱い力の印加によって各磁石部を換気扇筐体の金属板表面上を摺動させて当該金属板の端部より当該磁石部を換気扇筐体の金属板表面から容易く取り外すことが出来る。特に作業者が女性の場合には、その利点は大きい。
【００１６】
しかも、各磁石部は布粘着テープを備えているので、磁石部の摺動に際して布粘着テープの表面が換気扇筐体の金属板表面上を滑らかに滑るので、当該磁石部を換気扇筐体の金属板表面から取り外す際に磁石部が当該金属板表面に傷を付けてしまうことはなく、作業者は安心して磁石部を摺動させて取り外すことが出来る。
【００１７】
又、本発明の主題によれば、各磁石部が有する布粘着テープは、当該磁石部の磁石の吸引力を当該布粘着テープが無い場合と比較して弱めることが出来るので、作業者は、当該磁石部を取り付けようとする換気扇筐体の金属板表面位置に、位置調整しながら当該磁石部を確実に取り付けることが出来る。布粘着テープが無い場合には、周辺のゴミが吹き飛ばされてしまう程の磁石部の強力な吸引力によって、当該磁石部の取り付け位置の調整を行うことが難しい。
【００１８】
以下、本発明の様々な具体化を、添付図面を基に、その効果・利点と共に、詳述する。
【図面の簡単な説明】
【００１９】
【図１】本発明の実施の形態１又は２に用いられるマグネット複合体の構造を模式的に示す斜視図である。
【図２】本発明の油料理場の換気扇用油吸収器具が適用されるレンジフード内の構成を模式的に示す図である。
【図３】本発明の油料理場の換気扇用油吸収器具が適用されるレンジフード内の金属板にマグネット複合体及びフィルターが取り付けられる位置を模式的に示す図である。
【図４】本発明の実施の形態１に係る油料理場の換気扇用油吸収器具の取り付け状態を模式的に拡大して示す正面図である。
【図５】本発明の実施の形態２に係る油料理場の換気扇用油吸収器具の取り付け状態を模式的に拡大して示す正面図である。
【発明を実施するための形態】
【００２０】
（実施の形態１）
＜油料理場の換気扇用油吸収器具の構成＞
【００２１】
図１は、本実施の形態及び後述する実施の形態２に於いて適用されるマグネット複合体１００の構造例を模式的に示す斜視図である。尚、図１に於けるハッチング表示は、断面図を示しているのではなく、各構造の表示を明確化するという便宜上、描かれているだけである。
【００２２】
図１に示す構成より成るマグネット複合体１００は、油料理場に於いて食用油を利用した料理を作っている際に発生する油の蒸気を吸収するフィルターを、換気扇の前方の常磁性の金属板の上方に配置する際に使用される必須の構成要素である。このマグネット複合体１００の使用時の数に関しては、油を吸収するフィルターを換気扇筐体の前方の金属板上に取付ける際に、複数個（少なくとも２個。）のマグネット複合体１００が用いられる。
【００２３】
図１のマグネット複合体１００の一例に於いては、直方体形状の磁石１Ａが用いられている。勿論、マグネット複合体１００の磁石１Ａの形状は、直方体形状に代えて円柱体形状であっても良く、任意の形状である。
【００２４】
磁気力を外部に発生させる磁石部１は、１）磁石１Ａと、２）ヨーク１Ｂと、３）本発明の中核の一つを成す布粘着テープ１Ｃとから成る。
【００２５】
磁石部１のヨーク１Ｂは、磁石全体の吸引力を高めるための軟鉄板部である。即ち、本実施の形態では、磁石１Ａの形状が直方体形状であるので、その形状に応じて、ヨーク１Ｂは、ア）下面１ＢＢＳと、イ）当該下面１ＢＢＳに対向する上面１ＢＵＳと、ウ）下面１ＢＢＳと上面１ＢＵＳとの間の側面１ＢＳＳと、エ）下面１ＢＢＳより上面１ＢＵＳに向けて設けられた厚み方向には非貫通の溝部（短手方向には貫通している。）１ＢＲとを、有する。尚、図１に於いては、ヨーク１Ｂの正面側のコの字型の端面の全体は、梨地で示されている。そして、このヨーク１Ｂの溝部１ＢＲの全体に亘って嵌まり込む態様で、磁石１Ａは、ヨーク１Ｂの溝部１ＢＲの底面１ＢＲＢ上に個着された上面１ＡＵＳと、上面１ＡＵＳに対向すると共にヨーク１Ｂにより被覆されていない下面１ＡＢＳとを有する。
【００２６】
上記の磁石１Ａとヨーク１Ｂとから成る部分は、市場に於いて、商品名「キャップマグネット」として販売されており、容易に入手可能である。
【００２７】
この「キャップマグネット」の吸着力は、磁石単体の場合と比較して、例えば約２倍の力に強化されている。ところが、この「キャップマグネット」が有する吸引力は、常磁性の金属体である鉄板等を当該「キャップマグネット」に接近させると、当該鉄板等の金属体上のゴミを周囲に飛ばして一気に吸引しようとする程に、強力である。そのため、この「キャップマグネット」それ自体をマグネット複合体１００の磁気力を発生させる部分として採用するときには、上記の吸引力が強すぎるために、作業者が当該マグネット複合体１００を換気扇の前方の常磁性の金属板の上方に配置しようとする位置に的確に同複合体１００を配設することが容易ではない。そこで、吸着後の当該「キャップマグネット」の位置の調整を行うために、その吸着位置を強引に動かす際には、移動傷が当該金属体の表面に発生するおそれもある。その様な配設位置の調整自体が出来ない程に、当該「キャップマグネット」の吸引力は強力すぎるのである。
【００２８】
そこで、本願発明者は、この問題点を解決するべく試行錯誤で検討した結果、その詳細を後述する、上記の布粘着テープ１Ｃを「キャップマグネット」に対して配設することで、この「キャップマグネット」の強力すぎる吸引力を多少なりとも弱めさせることが出来ることを見出した。その結果、布粘着テープ１Ｃが「キャップマグネット」に対して配設された磁石部１を採用する際には、磁石部１は、当該マグネット複合体１００の配置位置を的確に調整することが可能となる。
【００２９】
他方で、「キャップマグネット」を換気扇の筐体の金属体より取り離す際の「キャップマグネット」の吸着力もまた、極めて強力である。このため、相当大きな力で以って「キャップマグネット」を引っ張らない限り、「キャップマグネット」を、それが吸着している上記金属板から容易く外すことが出来ない。このため、引っ張り力を相当程度に弱めて「キャップマグネット」を換気扇の筐体の金属板から外す方策としては、当該「キャップマグネット」を当該金属板の端部ないしエッジ位置まで強引に摺動させておいてから、当該「キャップマグネット」を引っ張れば、比較的容易く「キャップマグネット」を当該金属板から引き離すことが出来る。
【００３０】
しかし、この様に「キャップマグネット」を、ある程度強引に当該金属板上を摺動させる場合に、当該「キャップマグネット」の磁石１Ａの下面１ＡＢＳ又は／及びヨーク１Ｂの下面１ＢＢＳの角部が当該金属板に傷を付けてしまうことが懸念される。
【００３１】
斯かる観点から、本願発明者は、既述した「キャップマグネット」採用時の問題点を克服するために提案した上記の布粘着テープ１Ｃが、この問題点に対しても良い効果を奏することが、実際の使用によって見出した。即ち、磁石１Ａの下面１ＡＢＳ又はヨーク１Ｂの下面１ＢＢＳの角部等の金属板に傷を付ける要因部分が全て布粘着テープ１Ｃによって覆われている場合には、後述する布粘着テープ１Ｃ付き構造の「キャップマグネット」を、金属板の表面上を相対的に弱い力の印加で滑らかに摺動させることが出来、換気扇の筐体の金属板に傷が発生することが防止される。
【００３２】
そこで、「キャップマグネット」を用いる場合の上記の問題点を一挙に解決し得る手段として、本願発明者は、布粘着テープ１Ｃを採用して、磁石部１を構成している。
【００３３】
即ち、布粘着テープ１Ｃの裏面は、磁石１Ａの下面１ＡＢＳの全面上、並びに、ヨーク１Ｂの下面１ＢＢＳの全面上及び側面１ＢＳＳ上に固着されている。尚、布粘着テープ１Ｃは、ヨーク１Ｂの側面１ＢＳＳの一部上に設けられていても良い。或いは、布粘着テープ１Ｃの裏面の僅かな部分が、ヨーク１Ｂの上面１ＢＵＳの内のエッジ側部分に少し程度掛かる様に、設けられていても良い。
【００３４】
その結果、磁石部１の布粘着テープ１Ｃの底面１ＣＢＳの全体部は、換気扇を収容する筐体（図２の参照符号６を参照。）の油料理場側に面した常磁性金属板（図２の参照符号９を参照。）の面に、その磁石部１自体の磁気力により強力に吸着する部分である。
【００３５】
この磁石部１の布粘着テープ１Ｃで被覆されていない「上面」を成すヨーク１Ｂの上面１ＢＵＳには、その一部分上だけでも良いが、好ましくは上面１ＢＵＳの全体に亘って、合成ゴム系接着剤又は樹脂系接着剤２の一方の接着剤が塗布される。一般的に、合成ゴム系接着剤又は樹脂系接着剤２は、共に、油に対する耐性は強く、外部からの油をその内部に浸透させない性質を有する。従って、本件のマグネット複合体１００の構成に於いては、好ましい必須の部材である。そのため、面ファスナー３により吸収された油は、当該面ファスナー３の直下の合成ゴム系接着剤又は樹脂系接着剤２内に浸透することは殆ど無いので、当該面ファスナー３内の油が上記一方の接着剤２の接着剤としての機能を劣化させることは生じない。そのため、面ファスナー３の使用期間が比較的に長くなって、面ファスナー３内に吸収された油の量が多くなり、面ファスナー３自体が重くなっても、面ファスナー３と共に、合成ゴム系接着剤又は樹脂系接着剤２が磁石部１の上面１ＢＵＳから剥がれ落ちてしまう事態は想定されないと、言える。その点を考慮して、本実施の形態に於いては、接着剤として、合成ゴム系接着剤又は樹脂系接着剤２が採用されている。
【００３６】
更に、既述した面ファスナー３の各々の裏面３ＢＳは、複数の磁石部の内で対応する磁石部１の上面１ＢＵＳ上の合成ゴム系接着剤又は樹脂系接着剤２の強力な接着力により、当該対応する磁石部１の上面１ＢＵＳ上に、部分的に、又は、好ましい形態として全面的に、接着されている。面ファスナー３としては、例外として樹脂製品のものもあるが、本一例で想定されている面ファスナー３は、一般的な繊維製品より成るものであり、磁石部１により磁化されるものではない。
【００３７】
図１の例示に於いては、面ファスナー３の各々の上面（表面）３ＵＳは、ハッチング表示されている。この図１でのハッチング表示の目的は、あくまでも図示の便宜上の観点からであり、１）面ファスナー３の上面３ＵＳが、マッシュルーム形状を有する雄型面ファスナーの表面である、又は、その逆に、２）面ファスナー３の上面３ＵＳが、ループ形状型の雌型面ファスナーの表面であることを、単に示すための他ならない。
【００３８】
図２は、既述のマグネット複合体１００によりフィルター９（後述の図４を参照。）が配設される対象である既知のレンジフード５及びその内部の構成をあくまでも模式的に示す図である。レンジフード５自体及びその内部の各構成部分の厚みは、図２に於いては、図示化の便宜上、無視されている。レンジフード５自体は、磁石を近づけると、その磁力線により磁化する常磁性体の金属部分である。例えば、レンジフード５及びその内部の各部は、鉄板より成る。
【００３９】
図２に示す通り、レンジフード５は油料理場のコンロ等の上方に位置しており、その内部には、換気扇ないしは電動のファン７が備え付けられており、ファン７は換気扇筐体６内に配置されている。この換気扇筐体６の背部には、排気口８が繋がっている。又、換気扇筐体６の油料理場側の前方には、図３に示す常磁性の金属板（鉄板等）９が配設されている。図３は、図２の矢印ＡＲ側から金属体９を眺めた際の視野を模式的に示す平面図である。図３に見てとれる様に、金属板９は、換気扇筐体６内のファン７の清掃若しくは検査又は交換のために、その前方に閉開自在な扉１０Ａ，１０Ｂが配設されており、これらの扉１０Ａ，１０Ｂには複数の通気口９ＰＨが設けられている。
【００４０】
図３に例示する通り、金属板９の油料理場側の表面の内で、扉１０Ａ，１０Ｂの周囲の周縁部分には、例えば６個の既述したマグネット複合体１００（図１参照。）を磁石部１の磁力により金属板９の上記周縁部分に取付ける位置ＰＳｉ（ｉ：Ａ，Ｂ，Ｃ，Ｄ，Ｅ，Ｆ）が、模式的に描かれている。各位置ＰＳｉの数は、２以上の任意数である。各位置ＰＳｉに於いて、マグネット複合体１００は、金属体９の上記表面に吸着される。そして、吸着後の各マグネット複合体１００の面ファスナー３の上面３ＵＳの形状によって、後述するフィルター４が面接着されて、その結果、破線で示されている通りに、フィルター４は、扉１０Ａ，１０Ｂの各通気口９ＰＨの前方に立ちはだかる態様で、配設される。
【００４１】
＜油料理場の換気扇用油吸収器具の取付け方法＞
図４は、本実施の形態に係る換気扇用油吸収器具の取付け状態を、マグネット複合体１００毎に、模式的に描いた、拡大化された正面図である。
【００４２】
フィルター４は、一般的に市販されている不織布よりなり、油料理により発生する油を吸収する機能を有するものである。但し、その吸収機能は１００％完璧なものではない。そして、フィルター４の裏面４ＬＳの内で図３に示した取付け位置ＰＳｉに該当する部分は、複数のマグネット複合体１００の内の対応する個々の面ファスナー３の上面（表面）３ＵＳ上に、磁石部１毎に、全体的に面接着される。
【００４３】
本実施の形態に係る換気扇用油吸収器具の取付け方法は、次の通りである。
【００４４】
１）ステップ１：先ず、レンジフード５の金属板９の油料理場側の表面９Ｂ上の取付け予定位置ＰＳｉ（ｉ：Ａ，Ｂ，Ｃ，Ｄ，Ｅ，Ｆ）の各々に、各位置に対応するマグネット複合体１００を、その磁石部１の磁力による底面１ＣＢＳの吸着を利用して、順次に固設する。
【００４５】
２）ステップ２：次に、各マグネット複合体１００に於ける面ファスナー３の上面（表面）３ＵＳ上に、上記のフィルター４の裏面４ＬＳを、次々に面接着する。
【００４６】
斯かる取付け方法によって、図３に破線で示す様に、フィルター４が配設される。
【００４７】
＜利点＞
本実施の形態に於いては、図１に示す構成を備える各マグネット複合体１００を、当該マグネット複合体１００の磁石部１の底面１ＣＢＳを直接に金属板９の表面４ＬＳ上に吸着させることで、レンジフード５の金属板９の所定の位置上に吸着・固定させた上で、フィルター４を各マグネット複合体１００の面ファスナー３上に面接着している。
【００４８】
そのため、油を吸収するためのフィルター４の厚みが増大化している傾向であっても、当該フィルター４の長期間に亘る使用により、当該フィルター４が多くの油を吸収して重くなったために、その重みで仮に当該フィルター４が面フィルター３から離脱して落下したとしても、各マグネット複合体１００自体は、当該フィルター４の離脱・落下に追随して落下することはない。各マグネット複合体１００自体は、金属体９の表面９ＬＳに吸着したままの状態を保つ。
【００４９】
又、フィルター４が油の吸収によって汚れて交換する時期に来た場合に、当該フィルター４を面ファスナー３から取り外しても、磁石部１は、布粘着テープ１Ｃの採用により、金属体９の表面４ＬＳから、傷を付けることなく容易に取り離すことが出来、且つ、面ファスナー３自体は磁石部１の上面１ＢＵＳ上に接着されているにすぎない。そのため、従来技術の課題で述べた様な、面ファスナー及びそれを接着している樹脂系接着剤が、レンジフード側の金属体９に残存してしまうという事態の発生が生じ得ない。
【００５０】
（実施の形態２）
＜油料理場の換気扇用油吸収器具の構成＞
図５は、図４に対応した図であり、本実施の形態に係る油料理場の換気扇用油吸収器具の常磁性の金属板９への取り付け状態を模式的に拡大して示す正面図である
【００５１】
本実施の形態に係る換気扇用油吸収器具は、実施の形態１（図１）に於いて既述したマグネット複合体１００を、同様に備える。そして、本実施の形態では、実施の形態１に於いて、油を吸収する不織布のフィルター４は、本換気扇用油吸収器具に於いて油料理場に最も近い位置に面して配設される「第１フィルター４Ａ」と、定義される。そして、本実施の形態に係る換気扇用油吸収器具は、更に、第１フィルター４Ａの厚みＴＡと比較して同一又は薄い厚みＴＢを有する（ＴＡ≧ＴＢ）、不織布より成る第２フィルター４Ｂを備える。この第２フィルター４Ｂは、第１フィルター４Ａで吸収されずに換気扇ないしファン７側に向けて上昇してきた、油料理により発生する油の蒸気を、再度、吸収する機能を呈する。そのために、第２フィルター４Ｂは、換気扇筐体６の前方側の常磁性の金属板９の表面９Ｂと、各配置位置ＰＳｉに配設される複数のマグネット複合体１００の各々の磁石部１の底面１ＣＢＳとに挟まれて、各磁石部１の磁力により金属板９の表面９Ｂ上に固設されている。
【００５２】
＜油料理場の換気扇用油吸収器具の取付け方法＞
図５を参照して、本実施の形態に係る換気扇用油吸収器具の取付け方法を記載すると、次の通りとなる。
【００５３】
１）ステップ１：先ず、第２フィルター４Ｂを金属板９の表面９Ｂ側に配置し、その状態を保ったままで、取付け予定位置ＰＳｉ（ｉ：Ａ，Ｂ，Ｃ，Ｄ，Ｅ，Ｆ）の各々に、対応するマグネット複合体１００を順次に配置して各磁石部１の磁気力によってマグネット複合体１００を金属板９の表面９Ｂ上に吸着させることで、各磁石部１の底面１ＣＢＳと金属板９の表面９Ｂとの間に第２フィルター４Ｂを介在・配設する。
【００５４】
２）ステップ２：次に、各マグネット複合体１００に於ける面ファスナー３の上面（表面）３ＵＳ上に、第１フィルター４Ａの裏面４ＬＳを、次々に面接着する。
【００５５】
斯かる取付け方法によって、図５に示す様に、その間にマグネット複合体１００を介在して対向する２枚のフィルター４Ａ，４Ｂが配設される。
【００５６】
＜利点＞
２枚のフィルター４Ａ，４Ｂの配設により、油を吸収するので、従来の技術傾向の様にフィルターの厚みを１ｃｍ程にまで厚くしなくても、総合的観点から見て、以前の様なフィルターの厚みをより薄く設定しても、同様に十分に油を吸収することが出来ると共に、油の吸収によるフィルターの汚れの進み具合を遅らすことも出来て、油の吸収に対する高い耐久性をフィルターに備えさせることが出来る。この観点から、１ｃｍ程度の分厚いフィルターの製造コストと比較して、フィルターの製造コストを低減化出来る。又、フィルターの汚れの進行を遅らすこととなり、フィルターの交換時期を遅らせることも出来る。
【００５７】
又、２段階で油を吸収するので、より一層に油が吸収されることになり、従来の１個のみのフィルターの配設と比較して、換気扇ないしファン７の油による汚れを少なくして、ファン７に付着した油を拭き取る清掃の時期を遅らせて清掃回数を減少させることも可能となる。ファン７の油取りの清掃作業は意外と大変な作業なので、ファン７の清掃回数を低減化させ得る意義は大きい。
【００５８】
又、ＴＡ＞ＴＢの関係が設定される場合には、第２フィルター４Ｂの油の吸収可能量が少なくなる分、油を吸収した状態の第２フィルター４Ｂの重さはその分軽くなるので、第２フィルター４Ｂは各磁石部１によりしっかりと金属体９の表面９Ｂ上に固設されているので、第２フィルター４Ｂが脱落・落下してしまう事態の発生は生じ得ない。
【００５９】
又、フィルター４Ａ，４Ｂの交換に際して、金属体９の表面９Ｂに第２フィルター４Ｂ、面ファスナー３及び接着剤２が残存してしまうことは一切なく、容易にレンジフィルタ５の金属体９等の構成部分の清掃を行うことが出来る。
【００６０】
（付記）
尚、磁石１Ａの形状が円柱形状の場合には、そのヨーク１Ｂの形状は、円柱形状であって、且つ、ヨーク１Ｂは、既述した溝部１ＢＲに代わって、その中に磁石１Ａが嵌まり込む非貫通の穴部を有することになる。
【００６１】
又、磁石１Ａは、隙間を介して、ヨーク１Ｂ内に配設されていても良い。
【００６２】
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００６３】
この発明は、コンロ等が設けられた油料理場の上方に設置された常磁性の金属性のフード内に配置された換気扇ないしファンに、蒸発した油が付着するのを軽減化又は防止化するための器具に適用して好適なるものである。
【符号の説明】
【００６４】
１  磁石部
１Ａ  磁石
１Ｂ  ヨーク（鉄板）
１Ｃ  布粘着テープ
２  接着剤（合成ゴム系接着剤又は樹脂系接着剤）
３  面ファスナー
４  フィルター
４Ａ  第１フィルター
４Ｂ  第２フィルター
５  レンジフード
６  換気扇筐体
７  ファン（換気扇）
９  金属板
１００  マグネット複合体
【図１】
0005975729.tif 000002
【図２】
0005975729.tif 000003
【図３】
0005975729.tif 000004
【図４】
0005975729.tif 000005
【図５】
0005975729.tif 000006